(57)【要約】【課題】停電時に洗浄水を貯水でき且つローシルエット化することができる洗浄水タンク装置を提供する。【解決手段】本発明の停電時に洗浄水を貯水できる洗浄水タンク装置１８は、洗浄水タンク２０と、水供給管３０と、洗浄水タンク２０内に洗浄水を給水する給水装置３２と、蓋状部材３３とを有し、給水装置３２は、給水口部４６と、洗浄水タンクの外部において水供給管３０と接続される接続部４８と、接続部から給水口部まで延びる給水流路５０と、蓋状部材の外方に設けられる電磁弁機構７２により給水流路を開閉する電動式流路開閉装置５２と、洗浄水タンクの内部に設けられる機械式機構により給水流路を開閉する機械式流路開閉装置５４と、を備え、洗浄水タンク２０は、第１の底面２０ａと、第１の底面よりも上方且つ給水装置３２の接続部４８より上方に形成される第２の底面２０ｂとを備える。【選択図】図９
2019167788.tif 000002
【特許請求の範囲】
【請求項１】
停電時に洗浄水を貯水できる洗浄水タンク装置であって、
便器に供給する洗浄水を貯水し且つ上部に第１の開口が形成された洗浄水タンクと、
上記洗浄水タンクの外部の給水源からの洗浄水を上記洗浄水タンクに供給する水供給管と、
上記洗浄水タンク内に洗浄水を給水する給水装置と、
上記第１の開口を覆う蓋状部材とを有し、
上記給水装置は、
上記洗浄水タンクの内部に設けられる給水口部と、
上記洗浄水タンクの外部において上記水供給管と接続される接続部と、
上記接続部から上記給水口部まで延びる給水流路と、
上記蓋状部材の外方に設けられる電磁弁機構により上記給水流路を開閉する電動式流路開閉装置と、
上記洗浄水タンクの内部に設けられる機械式機構により上記給水流路を開閉する機械式流路開閉装置と、を備え、
上記洗浄水タンクは、第１の底面と、上記第１の底面よりも上方且つ上記給水装置の上記接続部より上方に形成される第２の底面とを備えることを特徴とする洗浄水タンク装置。
【請求項２】
上記洗浄水タンクの上記第２の底面は、上記洗浄水タンクの側方領域に形成されている、請求項１記載の洗浄水タンク装置。
【請求項３】
上記洗浄水タンクの上記第２の底面は、上記洗浄水タンクの側壁まで延びている、請求項１記載の洗浄水タンク装置。
【請求項４】
上記洗浄水タンクの上記第２の底面は、上記洗浄水タンクの正面側の縦壁まで延びている、請求項１記載の洗浄水タンク装置。
【請求項５】
上記蓋状部材は、
上記第１の開口を一部覆うように形成され且つ上記第１の開口よりも小さい第２の開口を形成する第１蓋状部材と、
上記第２の開口を覆う第２蓋状部材とを備え、
上記第１の蓋状部材と上記第２の蓋状部材とを組合せることにより、上記第１の蓋状部材と上記第２の蓋状部材との間に上記電動式流路開閉装置の取付部を挟み込むような取付構造が形成される、請求項１乃至４の何れか１項に記載の洗浄水タンク装置。
【請求項６】
さらに、上記電動式流路開閉装置の取付部の外周と、上記取付構造との間をシールするシール部材を備えている、請求項５に記載の洗浄水タンク装置。
【請求項７】
上記蓋状部材の上記第１蓋状部材は、つば部を備え、上記つば部には水を誘導する誘導部が形成されている、請求項６に記載の洗浄水タンク装置。
【請求項８】
さらに、上記洗浄水タンクの下方に設けられ且つ上記洗浄水タンクを支持する基板を備え、
上記基板は、その上面且つ上記誘導部の下方においてＵ字状に形成された水受け部を備えている、請求項７に記載の洗浄水タンク装置。
【請求項９】
上記電動式流路開閉装置は、上記洗浄水タンクの正面側に設けられている、請求項１乃至８の何れか１項に記載の洗浄水タンク装置。
【請求項１０】
請求項１乃至９の何れかに記載の洗浄水タンク装置を備えた水洗大便器。
【発明の詳細な説明】
【技術分野】
【０００１】
本発明は、洗浄水タンク装置に係り、特に、停電時に便器を洗浄する洗浄水を貯水できる洗浄水タンク装置、及び、それを備えた水洗大便器に関する。
【背景技術】
【０００２】
特許文献１に示されているように、停電時に洗浄水を貯水できる洗浄水タンク装置として、電磁弁装置と機械式開閉弁装置とを備えた給水装置によって洗浄水タンクへの給水を行う洗浄水タンク装置が知られている。
【０００３】
図１１に示すように、この洗浄水タンク装置１１８において、給水装置１３２のうち、洗浄水タンク１２０内の水位を検知するフロート（図示せず）を備えた機械式開閉弁装置（図示せず）、及び洗浄水タンク１２０内に吐水する給水口部１４６等は、洗浄水タンクの内部に配置される必要がある。
一方で、洗浄水タンク１２０内の洗浄水から生じる蒸気が悪影響を及ぼすことを抑制するために電磁弁装置１５２は洗浄水タンク１２０外に配置されている。これに伴って、電磁弁装置１５２の弁体が閉止する流路も洗浄水タンク１２０外に配置されている。給水源からの洗浄水を洗浄水タンク１２０まで供給する水供給管１３０は、洗浄水タンク１２０の下方から立ち上がるように形成される。水供給管１３０は、洗浄水タンク装置１１８の側方側に配置される。水供給管１３０を比較的真っすぐ立ち上がるように延ばすと電磁弁装置１５２と比較的簡単に接続できる。このため、洗浄水タンク１２０は、水供給管１３０や電磁弁装置１５２を配置するため、その側部の一部をその上端部から下端部までタンクの内側に向かって凹ませる切り欠き構造１２１を形成していた。
【先行技術文献】
【特許文献】
【０００４】
【特許文献１】特開２０１４−７０４１５号公報
【発明の概要】
【発明が解決しようとする課題】
【０００５】
しかしながら、洗浄水タンク１２０において切り欠き構造１２１が形成された領域は、貯水領域として使えない領域となり、洗浄水タンク１２０に規定の洗浄水量を貯水するためには満水水位を上昇させる必要が生じていた。よって、洗浄水タンク１２０の高さを高くする必要が生じ、洗浄水タンク装置１１８の高さを低くするローシルエット化を阻害してしまうという課題があった。
【０００６】
また、洗浄水タンク装置１１８においては、洗浄水タンク１２０の壁面を挟んで外部側に給水装置１３２の電磁弁装置１５２や電磁弁側の流路が配置され、洗浄水タンク１２０の壁面を挟んで内部側に機械式開閉弁装置及び給水口部１４６が配置され、壁面を貫通させた比較的長い距離の流路によりこれらが連通されている。よって、給水装置が比較的大型な装置として形成されやすく、洗浄水タンク装置１１８をローシルエット化しにくいという課題もあった。
【０００７】
さらに、洗浄水タンク１２０の前方から隠れるような後方側の位置に切り欠き構造１２１が形成されるので、水供給管１３０と給水装置１３２との接続部の接続作業やメンテナンス作業を行うことがしにくいという課題があった。また、給水装置１３２の流路が洗浄水タンク１２０の壁面を貫通して配置されるため組立がしにくいという課題もあった。
【０００８】
そこで、本発明は、上述した従来技術の問題点を解決するためになされたものであり、停電時に洗浄水を貯水できる洗浄水タンク装置において、ローシルエット化することができる洗浄水タンク装置を提供することを目的としている。
【課題を解決するための手段】
【０００９】
上記の目的を達成するために、本発明は、停電時に洗浄水を貯水できる洗浄水タンク装置であって、便器に供給する洗浄水を貯水し且つ上部に第１の開口が形成された洗浄水タンクと、上記洗浄水タンクの外部の給水源からの洗浄水を上記洗浄水タンクに供給する水供給管と、上記洗浄水タンク内に洗浄水を給水する給水装置と、上記第１の開口を覆う蓋状部材とを有し、上記給水装置は、上記洗浄水タンクの内部に設けられる給水口部と、上記洗浄水タンクの外部において上記水供給管と接続される接続部と、上記接続部から上記給水口部まで延びる給水流路と、上記蓋状部材の外方に設けられる電磁弁機構により上記給水流路を開閉する電動式流路開閉装置と、上記洗浄水タンクの内部に設けられる機械式機構により上記給水流路を開閉する機械式流路開閉装置と、を備え、上記洗浄水タンクは、第１の底面と、上記第１の底面よりも上方且つ上記給水装置の上記接続部より上方に形成される第２の底面とを備えることを特徴としている。
このように構成された本発明においては、停電時に洗浄水を貯水できる洗浄水タンク装置において、給水装置が蓋状部材の外方に設けられる電磁弁機構により上記給水流路を開閉する電動式流路開閉装置と、洗浄水タンクの内部に設けられる機械式機構により上記給水流路を開閉する機械式流路開閉装置と、を備える場合に、洗浄水タンクは、第１の底面と、上記第１の底面よりも上方且つ上記給水装置の上記接続部より上方に形成される第２の底面とを備えている。このような構造を有する洗浄水タンク装置において、第２の底面より上方の領域に洗浄水を貯水することができる。本発明によれば、従来の洗浄水タンクにおいて給水装置の下方までの比較的大きな切り欠き領域として形成され貯水領域として使えなかった領域に、洗浄水を貯水することができ、洗浄水タンクの満水水位を下げることができる。従って、停電時に洗浄水を貯水できる洗浄水タンク装置において、洗浄水タンク装置をローシルエット化することができる。
また、例えば、停電時に洗浄水を貯水できる洗浄水タンク装置において、電動式流路開閉装置の電磁弁機構を蓋状部材の外方に設けることにより洗浄水タンク内の洗浄水から生じた蒸気が電磁弁機構に悪影響を及ぼすことを抑制することができる。さらに、給水装置の大部分、例えば電動式流路開閉装置以外の基本的な構造の給水流路、機械式流路開閉装置が、洗浄水タンクの内部に設けられている。よって、洗浄水タンク内に延びる給水流路と機械式流路開閉装置との距離を比較的近くすることができる。これにより、給水装置を比較的小型に形成することができ、従来のように洗浄水タンクの壁面を跨ぐように給水装置の流路を配置する切欠きを洗浄水タンクに設ける必要がなくなり、本発明のように給水装置の大部分を内部に収める洗浄水タンクを比較的小型に形成することができる。従って、停電時に洗浄水を貯水できる洗浄水タンク装置において、洗浄水タンク装置をローシルエット化することができる。
【００１０】
本発明において、好ましくは、洗浄水タンクの上記第２の底面は、上記洗浄水タンクの側方領域に形成されている。
このように構成された本発明においては、洗浄水タンクの第２の底面は、洗浄水タンクの側方領域に形成されているので、洗浄水タンクの中心よりも側方側に配置される水供給管を第２の底面の下方の接続部まで側方方向に延ばす距離を抑制することができる。よって、この水供給管を配置できるような空間を確保するため、洗浄水タンクを内側に向けて切り欠く領域の大きさを抑制することができる。従って、洗浄水タンクの容量の低下を抑制することができ、洗浄水タンク装置をよりローシルエット化することができる。
【００１１】
本発明において、好ましくは、洗浄水タンクの上記第２の底面は、上記洗浄水タンクの側壁まで延びている。
このように構成された本発明においては、第２の底面よりも下方に給水装置の接続部を収容する収容空間を比較的コンパクトに形成することができると共に、洗浄水タンクの側方から接続部の接続作業やメンテナンス作業を行うことができ、接続部に対する作業性を向上させることができる。
【００１２】
本発明において、好ましくは、洗浄水タンクの上記第２の底面は、上記洗浄水タンクの正面側の縦壁まで延びている。
このように構成された本発明においては、第２の底面の下方に配置される給水装置の接続部に対し、洗浄水タンクの正面側から接続部の接続作業やメンテナンス作業を行うことができ、接続部に対する作業性をより向上させることができる。
【００１３】
本発明において、好ましくは、上記蓋状部材は、上記第１の開口を一部覆うように形成され且つ上記第１の開口よりも小さい第２の開口を形成する第１蓋状部材と、上記第２の開口を覆う第２蓋状部材とを備え、上記第１の蓋状部材と上記第２の蓋状部材とを組合せることにより、上記第１の蓋状部材と上記第２の蓋状部材との間に上記電動式流路開閉装置の取付部を挟み込むような取付構造が形成される。
このように構成された本発明においては、第１の蓋状部材と第２の蓋状部材とを組合せることにより、第１の蓋状部材と第２の蓋状部材との間に上記電動式流路開閉装置の取付部を挟み込むように取付けることができる。従って、上記電動式流路開閉装置への蒸気の悪影響を抑制でき且つ洗浄水タンク装置をローシルエット化することができると共に、電動式流路開閉装置を蓋状部材の外方に設ける構造の組立性を向上させることができる。
【００１４】
本発明において、好ましくは、さらに、上記電動式流路開閉装置の取付部の外周と、上記取付構造との間をシールするシール部材を備えている。
このように構成された本発明においては、電動式流路開閉装置が蓋状部材の外方に設けられている場合に、シール部材が、電動式流路開閉装置の取付部の外周と、第１の蓋状部材と第２の蓋状部材とにより形成された取付構造との間からの水漏れを抑制することができる。
【００１５】
本発明において、好ましくは、蓋状部材の上記第１蓋状部材は、つば部を備え、上記つば部には水を誘導する誘導部が形成されている。
このように構成された本発明においては、第１蓋状部材はつば部を備え、このつば部には、水を誘導する誘導部が形成されているので、仮に電動式流路開閉装置から第１蓋状部材の外部側に水漏れが生じた場合においても、水をつば部から誘導部を介して水にぬれても影響の少ない部分に誘導することができ、水漏れの他の電子機器への影響を抑制することができる。
【００１６】
本発明において、好ましくは、さらに、上記洗浄水タンクの下方に設けられ且つ上記洗浄水タンクを支持する基板を備え、上記基板は、その上面且つ上記誘導部の下方においてＵ字状に形成された水受け部を備えている。
このように構成された本発明においては、基板は、その上面且つ誘導部の下流端の下方においてＵ字状に形成された水受け部を備えている。よって、誘導部から落下した水が、水受け部に衝突した衝撃により周囲に飛散することを抑制することができ、基板に取付けられる電子機器等に水が付着することを抑制することができる。
【００１７】
本発明において、好ましくは、上記電動式流路開閉装置は、上記洗浄水タンクの正面側に設けられている。
このように構成された本発明においては、電動式流路開閉装置は洗浄水タンクの正面側に設けられているため、メンテナンスの作業者がメンテナンス作業を行う際に洗浄水タンクの正面側から電動式流路開閉装置にアプローチすることができ、メンテナンス時の作業性を向上することができる。
【００１８】
また、本発明は、一実施形態による洗浄水タンク装置を備えた水洗大便器である。
このように構成された本発明においては、洗浄水タンクを含めた水洗大便器をローシルエット化することができる。
【発明の効果】
【００１９】
本発明の洗浄水タンク装置によれば、停電時に洗浄水を貯水できる洗浄水タンク装置において洗浄水タンク装置をローシルエット化することができる。
【図面の簡単な説明】
【００２０】
【図１】本発明の一実施形態による洗浄水タンク装置が適用された水洗大便器の断面図である。
【図２】本発明の一実施形態による洗浄水タンク装置を前方左側から見た斜視図である。
【図３】本発明の一実施形態による洗浄水タンク装置の上面図である。
【図４】本発明の一実施形態による洗浄水タンク装置の正面図である。
【図５】本発明の一実施形態による洗浄水タンク装置を第２蓋状部材を外した状態で上方から見た上面図である。
【図６】本発明の一実施形態による洗浄水タンク装置を第１蓋状部材及び第２蓋状部材を外した状態で上方から見た上面図である。
【図７】図３のＶＩＩ−ＶＩＩ線に沿って見た断面図である。
【図８】図３のＶＩＩＩ−ＶＩＩＩ線に沿って見た断面図である。
【図９】図３のＩＸ−ＩＸ線に沿って見た断面図である。
【図１０】図４のＸ−Ｘ線に沿って見た断面図である。
【図１１】従来の洗浄水タンク装置を便器後方左側斜め上方から見た斜視図である。
【発明を実施するための形態】
【００２１】
つぎに、添付図面により、本発明の一実施形態による洗浄水タンク装置を説明する。
まず、図１により、本発明の一実施形態による洗浄水タンク装置が適用された水洗大便器を説明する。
図１は、本発明の一実施形態による洗浄水タンク装置が適用された水洗大便器の断面図である。
【００２２】
図１に示すように、符号１は水洗大便器を示し、この水洗大便器１は、便器本体２を備え、この便器本体２には、ボウル部４と、導水路６と、ボウル部４の下部と連通する排水トラップ管路８がそれぞれ形成されている。
便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
本実施形態の水洗大便器１は、本発明を床置き式の水洗大便器に適用した例であるが、本発明はこれ以外の、例えば、壁掛け式の水洗大便器に適用することもできる。
【００２３】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００２４】
便器本体２の導水路６の上方には、便器本体２に供給する洗浄水を貯水する洗浄水タンク装置１８が設けられ、この洗浄水タンク装置１８に貯水された洗浄水が便器本体２に供給されるようになっている。洗浄水タンク装置１８は、自身の高さが比較的低く形成されているいわゆるローシルエットタンクである。この洗浄水タンク装置１８は、停電時に洗浄水を貯水できる機能を有している。この洗浄水タンク装置１８は、外装カバー１９に覆われている。この洗浄水タンク装置１８は、便器に供給する洗浄水を貯水する洗浄水タンク２０を備え、この洗浄水タンク２０の底部には、上下方向に延びる排水口２２が形成され、この排水口２２の下端は便器本体２の導水路６と連通し、洗浄水タンク２０内の洗浄水が排水口２２から便器本体２の導水路６に供給されるようになっている。
【００２５】
便器本体２には、後述する基板３５上に洗浄水タンク装置１８の動作を制御できる制御部２１が設けられている（図１参照）。制御部２１は、有線又は無線により、壁面に設けられ且つ使用者が洗浄開始を操作できる操作部（図示せず）、後述するフロートスイッチ２８、回動装置３８、給水装置３２の電動式流路開閉装置５２等と電気的に接続されている。制御部２１は、ＣＰＵ、メモリ等を内蔵し、操作部の操作又は自己の設定により、これらの各装置等に作動信号を送り、各装置等を作動させる機能を有する。
【００２６】
つぎに、図２乃至図１０により、洗浄水タンク装置１８の詳細について説明する。
図２は本発明の一実施形態による洗浄水タンク装置を前方左側から見た斜視図であり、図３は本発明の一実施形態による洗浄水タンク装置の上面図であり、図４は本発明の一実施形態による洗浄水タンク装置の正面図であり、図５は本発明の一実施形態による洗浄水タンク装置を第２蓋状部材を外した状態で上方から見た上面図であり、図６は本発明の一実施形態による洗浄水タンク装置を第１蓋状部材及び第２蓋状部材を外した状態で上方から見た上面図であり、図７は図３のＶＩＩ−ＶＩＩ線に沿って見た断面図であり、図８は図３のＶＩＩＩ−ＶＩＩＩ線に沿って見た断面図であり、図９は図３のＩＸ−ＩＸ線に沿って見た断面図であり、図１０は図４のＸ−Ｘ線に沿って見た断面図である。なお、図７においては、洗浄水タンクの満水時の満水水位をＷＬ１で示している。
以下、本発明の一実施形態における説明において、水洗大便器１を使用する使用者側（水洗大便器１を使用するために水洗大便器１の前に立っている使用者側）から見て手前側を前方側（正面側）とし、使用者から見て奥側を後方側とし、洗浄水タンク装置１８を前方から見て右側を右側とし、前方から見て左側を左側とし、洗浄水タンク装置１８を前方から見て右側又は左側を側方側として説明している。
【００２７】
図２乃至図８に示すように、洗浄水タンク装置１８は、自身の上部に第１の開口２４が形成された洗浄水タンク２０と、この洗浄水タンク２０に貯えられた洗浄水について排水口２２を開放して便器本体２の導水路６に流出させる排水弁装置２６と、洗浄水タンク２０の満水水位ＷＬ１を電気的に検知するフロートスイッチ２８と、洗浄水タンク２０の外部の給水源からの洗浄水を洗浄水タンク２０に供給する水供給管３０と、洗浄水タンク２０内に洗浄水を給水する給水装置３２と、第１の開口２４を覆う蓋状部材３３と、洗浄水タンク２０を支持する基板３５とを備えている。
【００２８】
図７に示すように、排水弁装置２６は、オーバーフロー管３４と、オーバーフロー管３４の下端部に固着された排水弁３６と、オーバーフロー管３４を上下動させることにより排水弁３６を開閉操作する回動装置３８を備えている。排水弁３６は、洗浄水タンク２０の底面に設けられた排水弁座３７に着座して排水口２２を密閉するようになっている。また、洗浄水タンク２０の排水口２２の周辺部には、排水弁３６の上下動をガイドし且つ高さ位置を規制するガイド部材４０が取り付けられている。
【００２９】
オーバーフロー管３４は、上下方向に延びる円筒状の管部材である。そして、洗浄水タンク２０内の洗浄水の水位が、満水水位ＷＬ１を超えて上昇し、オーバーフロー管３４の上端の高さ位置を上回ったときには、洗浄水がオーバーフローし、オーバーフロー管３４の上端からその円筒管内を通って洗浄水タンク２０の排水口２２から便器本体２側に供給されるようになっている。
【００３０】
さらに、回動装置３８は、ＤＣモータ等の駆動手段を設けた駆動装置である、この回動装置３８から延びる回転軸４２の先端には、玉鎖４４が取り付けられている。この玉鎖４４の下方部分は、オーバーフロー管３４に取り付けられている。回動装置３８が玉鎖４４を上方に引き上げるように回転軸４２を回転させると、オーバーフロー管３４が玉鎖４４と共に上昇し、回動装置３８が玉鎖４４を引き下げるように回転軸４２を回転させると、オーバーフロー管３４が玉鎖４４と共に下降するようになっている。
回動装置３８は、停電時に、使用者が操作レバー（図示せず）を直接回転操作して回転軸４２を回転させて排水弁３６の開閉ができるような手動式の操作機構を備えている。
【００３１】
フロートスイッチ２８は、洗浄水タンク２０の内部の上方に配置され、洗浄水タンク２０の頂部よりその軸心部が下向きになるように取付けられている。フロートスイッチ２８は、所定の満水水位ＷＬ１を電気的に検知し、その検知信号を制御部２１に送信するようになっている。
【００３２】
図２及び図９、図１０に示すように、水供給管３０は、床置き式の水洗大便器１において洗浄水タンク２０の中心よりも側方側において建物の床面又は壁面から洗浄水タンク２０の下部の高さまで上昇するように配置される。水供給管３０は、壁掛け式の水洗大便器を採用した場合においても、建物の床面又は壁面から洗浄水タンク２０の下部の高さまで上昇するように配置される。水供給管３０は、便器本体２及び洗浄水タンク２０の外部側に配置される。水供給管３０は、ホース等の可撓性配管により形成される。水供給管３０は、給水装置３２の後述する接続部４８と接続される。
【００３３】
つぎに、図６、図７、図９及び図１０により、本発明の一実施形態による洗浄水タンク装置の給水装置３２の具体的な構成について説明する。
給水装置３２は、洗浄水タンク２０の内部に設けられる給水口部４６と、洗浄水タンク２０の外部において水供給管３０と接続される接続部４８と、接続部４８から給水口部４６まで延びる給水流路５０と、蓋状部材３３の外方に設けられる電磁弁機構により給水流路５０を開閉する電動式流路開閉装置５２と、洗浄水タンク２０の内部に設けられる機械式機構により給水流路を開閉する機械式流路開閉装置５４（図６及び図１０参照）と、を備えている。
【００３４】
さらに、給水装置３２は、給水流路５０中に設けられる主弁座５６と、給水流路５０中に設けられ且つ主弁座５６に着座して二次側通水路６４を閉止する止水状態と主弁座５６から離間して二次側通水路６４を開放する給水状態とを切り換えるダイヤフラム弁であるダイヤフラム弁体５８と、給水流路５０のうち、洗浄水タンク２０の外部の給水源からの洗浄水を供給する第１給水流路である一次側通水路６０と、給水流路５０においてダイヤフラム弁体５８の主弁座５６側と反対側に設けられ且つ内部の洗浄水の圧力が変動する圧力室６２と、給水流路５０のうち、洗浄水タンク２０の内部の給水口部４６に洗浄水を供給する第２給水流路である二次側通水路６４と、圧力室６２の内部圧力を洗浄水タンク２０に開放できるように圧力室６２から洗浄水タンク２０に延びる第１流路である第１パイロット流路６６と、圧力室６２の内部圧力を洗浄水タンク２０に開放できるように圧力室６２から洗浄水タンク２０に延びる第２流路である第２パイロット流路６８とを備えている。
【００３５】
主弁座５６は、二次側通水路６４の入口端に設けられている。主弁座５６は、一次側通水路６０と二次側通水路６４との間に設けられている。
ダイヤフラム弁体５８には一次側通水路６０と圧力室６２とを連通するブリード穴（図示せず）が形成されている。ダイヤフラム弁体５８は、圧力室６２の内部圧力及び一次側通水路６０の水圧力との圧力差により主弁座５６に向かって当接する方向又は主弁座５６から離間する方向に移動するように設置されている。ダイヤフラム弁体５８に形成されたブリード穴により、ダイヤフラム弁体５８が閉弁した状態において、一次側通水路６０と圧力室６２とが連通して、圧力室６２に一次側通水路６０からの水圧が作用するようになっている。
【００３６】
圧力室６２は、内部の圧力上昇時にはダイヤフラム弁体５８を主弁座５６へ向かって移動させ、且つ内部の圧力低下時にはダイヤフラム弁体５８を主弁座５６から離間するように移動させる。
【００３７】
電動式流路開閉装置５２は、制御部２１によって電気的に制御される電磁弁装置である。電動式流路開閉装置５２は、第１パイロット流路６６の第１弁座６６ａに着座して、第１パイロット流路６６を閉止できるように形成されている第１弁体７０と、第１弁体７０を電気的に作動させる電磁弁機構７２とを備えている。電動式流路開閉装置５２は、フロートスイッチ２８が洗浄水タンク２０の満水水位ＷＬ１を電気的に検知していない場合には、第１弁体７０を第１弁座６６ａから離間させて第１パイロット流路６６を開放させ、フロートスイッチ２８が洗浄水タンク２０の満水水位ＷＬ１を電気的に検知している場合には、第１弁体７０を第１弁座６６ａに押し付けて閉止させて第１パイロット流路６６を閉止させるようになっている。
【００３８】
電動式流路開閉装置５２は、第１弁体７０により第１パイロット流路６６を開閉させることにより、ダイヤフラム弁体５８を開閉させることができ、洗浄水の洗浄水タンク２０内への吐水と止水を切り替える機能を有する。電動式流路開閉装置５２のうち少なくとも電磁弁機構７２は、電子部品が洗浄水タンク２０内の湿度の高い空気の影響を受けるのを防ぐように、蓋状部材３３の外側の大気空間に設けられている。
【００３９】
機械式流路開閉装置５４は、電気を使わない機械式のいわゆるボールタップ弁装置を形成している。機械式流路開閉装置５４は、第２パイロット流路６８の第２弁座６８ａに着座して、第２パイロット流路６８を閉止できるように形成されている第２弁体７４と、洗浄水タンク２０内の洗浄水の水位の変動に応じて上下動する機械式機構であるフロート７６（図６及び図８参照）と、機械式機構として、一方がフロート７６に接続され、且つ他方が第２弁体７４に接続され、フロート７６が上下動することにより揺動して第２弁体７４を機械的に開閉動作させる機械式機構である揺動部材７８と、を備えている。第２弁体７４には、フロート７６の動作が揺動部材７８を介して機械的な動作として伝達される。
【００４０】
揺動部材７８は、揺動部材７８のフロート７６側の部分が上方移動するとき、第２弁体７４側の部分が下方移動して第２弁体７４を第２弁座６８ａに押し付けて閉止させ、揺動部材７８のフロート７６側の部分が下方移動するとき、第２弁体７４側の部分が上方移動して第２弁体７４を第２弁座６８ａから離間させて開放させるようになっている。機械式流路開閉装置５４は、フロート７６及び揺動部材７８に接続された第２弁体７４により第２パイロット流路６８を開閉させることにより、ダイヤフラム弁体５８を開閉させることができ、洗浄水の洗浄水タンク２０内への吐水と止水を切り替える機能を有する。
給水装置３２の大部分、例えば電動式流路開閉装置５２以外の基本的な構造である給水流路５０の一次側通水路６０、二次側通水路６４、圧力室６２、ダイヤフラム弁体５８、主弁座５６、機械式流路開閉装置５４が、洗浄水タンク２０の内部に設けられている。よって、洗浄水タンク２０内に延びる給水流路５０と、機械式流路開閉装置５４との距離を比較的近くすることができる。これにより、給水装置３２を比較的小型に形成することができ、従来のように洗浄水タンク２０の壁面を跨ぐように給水装置３２の流路を配置する切欠きを洗浄水タンク２０に設ける必要がなくなり、本実施形態におけるように給水装置３２の大部分を内部に収める洗浄水タンク２０を比較的小型に形成することができる。
機械式流路開閉装置５４は、てこを利用したてこ式の機械式機構により第２弁体７４を機械的に開閉動作させるものであってもよく、また、カムを利用したポペット弁機構により第２弁体７４を機械的に開閉動作させるものであってもよい。また、機械式流路開閉装置５４は、電動式流路開閉装置５２の第１弁体７０をワイヤ等で機械的に開閉動作させるものであってもよい。
【００４１】
つぎに、図２乃至図５、図８乃至図１０により、本発明の一実施形態による洗浄水タンク装置における給水装置３２の取付構造について説明する。
【００４２】
蓋状部材３３は、第１の開口２４を一部覆うように形成され且つ第１の開口２４よりも小さい第２の開口２５を形成する第１蓋状部材８０と、第２の開口２５を覆う第２蓋状部材８２とを備えている。第１蓋状部材８０と第２蓋状部材８２とを組合せることにより、第１蓋状部材８０と第２蓋状部材８２との間に電動式流路開閉装置５２の取付部７３を挟み込むような取付構造８４が形成される。電動式流路開閉装置５２の取付部７３は、蓋状部材３３の内側から外側まで延びるように形成されている。取付構造８４は、取付部７３の外周に沿った形状の開口を形成している。取付構造８４は、洗浄水タンク装置１８の前方側、すなわち正面側に向けて開口を形成している。よって、電動式流路開閉装置５２は、第１蓋状部材８０及び第２蓋状部材８２の外部側において洗浄水タンク２０の正面側に設けられている。よって、メンテナンスの作業者がメンテナンス作業を行う際に洗浄水タンク２０の正面側から電動式流路開閉装置５２にアプローチすることができ、メンテナンス時の作業性を向上することができる。
【００４３】
図８及び図１０に示すように、洗浄水タンク装置１８は、さらに、電動式流路開閉装置５２の取付部７３の外周と、取付構造８４との間をシールするシール部材８６を備えている。シール部材８６により電動式流路開閉装置５２の取付部７３の外周と、取付構造８４との間からの水漏れを抑制することができる。
【００４４】
図２乃至図４に示すように、第１蓋状部材８０は、概ね平坦な上面を形成するつば部８８を備えている。つば部８８には水を誘導する誘導部である開口部９０が形成されている。開口部９０は、洗浄水タンク２０の第１の開口２４の真上より外側の位置に形成されている。開口部９０は、下方向きに開口され、水を、矢印Ｆ１（図２参照）に示すように、つば部８８の上面から開口部９０を通して洗浄水タンク２０の下方に誘導させ且つ落下させることができる。よって、仮に電動式流路開閉装置５２から第１蓋状部材８０の外部側に水漏れが生じた場合においても、水をつば部８８から開口部９０を介して水にぬれても影響の少ない部分に誘導することができ、水漏れの他の電子機器への影響を抑制することができる。
なお、つば部８８には水を誘導する誘導部として仕切り９２も形成されていてもよい。仕切り９２によりつば部８８上の上面の領域を電動式流路開閉装置５２の下方の領域８８ａと、フロートスイッチ２８側の領域８８ｂとに区画することができる。よって、仮に電動式流路開閉装置５２から領域８８ａに水漏れが生じた場合において、水が電子機器であるフロートスイッチ２８に流れることを抑制し、開口部９０を介して下方に流下させることができる。よって、水漏れの他の電子機器への影響を抑制することができる。
【００４５】
図２に示すように、洗浄水タンク装置１８の基板３５は、洗浄水タンク２０の下方に設けられている。基板３５は、ウォシュレット（登録商標）機能部（図示せず）や洗浄水タンク装置１８の配線機器（図示せず）等の電子機器を取り付けることができる。基板３５は、水供給管３０を便器本体２の上方において給水装置３２の下方まで導くことができるように構成されている。
基板３５は、その上面且つ開口部９０の下流端９０ａの鉛直方向下方においてＵ字状に形成された水受け部９４を備えている。よって、開口部９０から流下する水は、矢印Ｆ１に示すように、水受け部９４に到達する。水受け部９４は、その上面がＵ字状に中央部分が窪んで形成されているので、落下した水が水受け部９４に衝突した衝撃により周囲に飛散することを抑制することができ、基板３５に取付けられる他の電子機器等に水が付着することを抑制することができる。
【００４６】
つぎに、図９及び図１０により、本発明の一実施形態による洗浄水タンク装置１８における洗浄水タンク２０の底面の構造について説明する。
洗浄水タンク２０は、洗浄水タンク２０の貯水領域の最下面を形成している第１の底面２０ａと、第１の底面２０ａよりも上方且つ給水装置３２の接続部４８より上方に形成される第２の底面２０ｂとを備える。第１の底面２０ａは、排水弁座３７とほぼ同じ高さに設けられている。
【００４７】
洗浄水タンク２０の第２の底面２０ｂは、給水装置３２の一次側通水路６０の下方且つ接続部４８の上方に形成されている。第２の底面２０ｂは、ダイヤフラム弁体５８と接続部４８との間に配置される。第２の底面２０ｂは、一次側通水路６０が貫通するように形成される。第２の底面２０ｂは第１の底面２０ａよりも高い台状の平坦部を形成している。洗浄水タンク２０の第２の底面２０ｂは、洗浄水タンク２０の側方領域に形成されている。洗浄水タンク２０の側方領域は、排水口２２の位置する中央領域よりも側方側の領域であり、好ましくは洗浄水タンク２０の左右方向の全体長さを１とした場合に洗浄水タンク２０の左右の側壁からそれぞれ１／３の長さに含まれるような側方側の領域である。
第２の底面２０ｂ及び第１の底面２０ａにより洗浄水タンク２０の全体の底面を形成している。
【００４８】
第２の底面２０ｂは満水水位ＷＬ１よりも下方に形成されている。よって、第２の底面２０ｂよりも上方且つ満水水位ＷＬ１よりも下方の領域は貯水領域Ａ１を形成する。このように、第２の底面２０ｂよりも上方の領域を貯水領域Ａ１として使用することができる。第２の底面２０ｂよりも上方における洗浄水タンク２０の水平断面においては、貯水可能な領域の断面積が貯水領域Ａ１の分だけ拡張されている。
【００４９】
第２の底面２０ｂは、洗浄水タンク２０の側壁２０ｃまで延びている。第２の底面２０ｂは、第２の底面２０ｂよりも下方に給水装置３２の接続部４８を収容する収容空間Ｂ１を比較的コンパクトに形成する機能も有している。収容空間Ｂ１は、第２の底面２０ｂと基板３５との間の高さにおいて、側壁２０ｃよりも内側且つ、側壁２０ｃよりも内側に形成される内側側壁２０ｄよりも外側の空間として形成される。給水装置３２の接続部４８は、第２の底面２０ｂと基板３５との間の高さに配置される必要があるため、洗浄水タンク２０の外壁を凹ませたような収容空間Ｂ１が形成されている。第２の底面２０ｂが側壁２０ｃまで延びていることにより、収容空間Ｂ１が比較的コンパクトに形成することができると共に、収容空間Ｂ１が側方側に開口され、洗浄水タンク装置１８の側方から接続部の接続作業やメンテナンス作業を行うことができ、接続部４８の作業性を向上させることができる。
【００５０】
図４に示すように、第２の底面２０ｂは、洗浄水タンク２０の正面側の縦壁２０ｅまでほぼ平坦な平面を形成するように延びている。よって、洗浄水タンク２０の正面側斜め方向から給水装置３２の接続部４８を視認することや接続部４８にアクセスすることが可能である。従って、第２の底面２０ｂの下方に配置される給水装置３２の接続部４８に対し、洗浄水タンク装置１８の正面側から接続部４８の接続作業やメンテナンス作業を行うことができ、接続部４８の作業性をより向上させることができる。
【００５１】
次に、上述した本発明の一実施形態による洗浄水タンク装置１８の効果を説明する。
上述した本発明の一実施形態による洗浄水タンク装置１８によれば、停電時に洗浄水を貯水できる洗浄水タンク装置１８において、給水装置３２が蓋状部材３３の外方に設けられる電磁弁機構７２により給水流路５０を開閉する電動式流路開閉装置５２と、洗浄水タンク２０の内部に設けられる機械式機構により給水流路５０を開閉する機械式流路開閉装置５４と、を備える場合に、洗浄水タンク２０は、第１の底面２０ａと、第１の底面２０ａよりも上方且つ給水装置３２の接続部４８より上方に形成される第２の底面２０ｂとを備えている。このような構造を有する洗浄水タンク装置１８において、第２の底面２０ｂより上方の領域に洗浄水を貯水することができる。本発明によれば、従来の洗浄水タンク１２０において給水装置１３２の下方までの比較的大きな切り欠き領域として形成され貯水領域として使えなかった領域に、洗浄水を貯水することができ、洗浄水タンク２０の満水水位ＷＬ１を下げることができる。従って、停電時に洗浄水を貯水できる洗浄水タンク装置１８において、洗浄水タンク２０をローシルエット化することができる。
また、例えば、停電時に洗浄水を貯水できる洗浄水タンク装置１８において、電動式流路開閉装置５２の電磁弁機構７２を蓋状部材３３の外方に設けることにより洗浄水タンク２０内の洗浄水から生じた蒸気が電磁弁機構７２に悪影響を及ぼすことを抑制することができる。さらに、給水装置３２の大部分、例えば電動式流路開閉装置５２以外の基本的な構造の給水流路５０、機械式流路開閉装置５４が、洗浄水タンク２０の内部に設けられている。よって、洗浄水タンク２０内に延びる給水流路５０と機械式流路開閉装置５４との距離を比較的近くすることができ、給水装置３２を比較的小型に形成することができ、従来のように洗浄水タンク２０の壁面を跨ぐように給水装置３２の流路を配置する切欠きを洗浄水タンク２０に設ける必要がなくなり、本実施形態におけるように給水装置３２の大部分を内部に収める洗浄水タンク２０を比較的小型に形成することができる。従って、停電時に洗浄水を貯水できる洗浄水タンク装置１８において、洗浄水タンク２０をローシルエット化することができる。
【００５２】
さらに、一実施形態による洗浄水タンク装置１８によれば、洗浄水タンク２０の第２の底面２０ｂは、洗浄水タンク２０の側方領域に形成されているので、洗浄水タンク２０の中心よりも側方側に配置される水供給管３０を第２の底面２０ｂの下方の接続部４８まで側方方向に延ばす距離を抑制することができる。よって、この水供給管３０を配置できるような空間を確保するため、洗浄水タンク２０を内側に向けて切り欠く領域の大きさを抑制することができる。従って、洗浄水タンク２０の容量の低下を抑制することができ、洗浄水タンク２０をよりローシルエット化することができる。
【００５３】
また、一実施形態による洗浄水タンク装置１８によれば、第２の底面２０ｂよりも下方に給水装置３２の接続部４８を収容する収容空間を比較的コンパクトに形成することができると共に、洗浄水タンク２０の側方から接続部４８の接続作業やメンテナンス作業を行うことができ、接続部４８に対する作業性を向上させることができる。
【００５４】
また、一実施形態による洗浄水タンク装置１８によれば、第２の底面２０ｂの下方に配置される給水装置３２の接続部４８に対し、洗浄水タンク２０の正面側から接続部４８の接続作業やメンテナンス作業を行うことができ、接続部４８に対する作業性をより向上させることができる。
【００５５】
また、一実施形態による洗浄水タンク装置１８によれば、第１蓋状部材８０と第２蓋状部材８２とを組合せることにより、第１蓋状部材８０と第２蓋状部材８２との間に電動式流路開閉装置５２の取付部７３を挟み込むように取付けることができる。従って、電動式流路開閉装置５２への蒸気の悪影響を抑制でき且つ洗浄水タンク２０をローシルエット化することができると共に、電動式流路開閉装置５２を蓋状部材３３の外方に設ける構造の組立性を向上させることができる。
【００５６】
また、一実施形態による洗浄水タンク装置１８によれば、電動式流路開閉装置５２が蓋状部材３３の外方に設けられている場合に、シール部材８６が、電動式流路開閉装置５２の取付部７３の外周と、第１蓋状部材８０と第２蓋状部材８２とにより形成された取付構造８４との間からの水漏れを抑制することができる。
【００５７】
また、一実施形態による洗浄水タンク装置１８によれば、第１蓋状部材８０はつば部８８を備え、このつば部８８には、水を誘導する開口部９０が形成されているので、仮に電動式流路開閉装置５２から第１蓋状部材８０の外部側に水漏れが生じた場合においても、水をつば部８８から開口部９０を介して水にぬれても影響の少ない部分に誘導することができ、水漏れの他の電子機器への影響を抑制することができる。
【００５８】
また、一実施形態による洗浄水タンク装置１８によれば、基板３５は、その上面且つ開口部９０の下流端９０ａの下方においてＵ字状に形成された水受け部９４を備えている。よって、開口部９０から落下した水が、水受け部９４に衝突した衝撃により周囲に飛散することを抑制することができ、基板３５に取付けられる電子機器等に水が付着することを抑制することができる。
【００５９】
また、一実施形態による洗浄水タンク装置１８によれば、電動式流路開閉装置５２は洗浄水タンク２０の正面側に設けられているため、メンテナンスの作業者がメンテナンス作業を行う際に洗浄水タンク２０の正面側から電動式流路開閉装置５２にアプローチすることができ、メンテナンス時の作業性を向上することができる。
【００６０】
また、一実施形態による洗浄水タンク装置１８を備えた水洗大便器１によれば、洗浄水タンク２０を含めた水洗大便器１をローシルエット化することができる。
【符号の説明】
【００６１】
１            水洗大便器
２            便器本体
４            ボウル部
６            導水路
８            排水トラップ管路
８ａ          入口
８ｂ          上昇路
８ｃ          下降路
１０          リム
１２          第１吐水口
１４          溜水部
１６          第２吐水口
１８          洗浄水タンク装置
１９          外装カバー
２０          洗浄水タンク
２０ａ        第１の底面
２０ｂ        第２の底面
２０ｃ        側壁
２０ｄ        内側側壁
２０ｅ        縦壁
２１          制御部
２２          排水口
２４          第１の開口
２５          第２の開口
２６          排水弁装置
２８          フロートスイッチ
３０          水供給管
３２          給水装置
３３          蓋状部材
３４          オーバーフロー管
３５          基板
３６          排水弁
３７          排水弁座
３８          回動装置
４０          ガイド部材
４２          回転軸
４４          玉鎖
４６          給水口部
４８          接続部
５０          給水流路
５２          電動式流路開閉装置
５４          機械式流路開閉装置
５６          主弁座
５８          ダイヤフラム弁体
６０          一次側通水路
６２          圧力室
６４          二次側通水路
６６          第１パイロット流路
６６ａ        第１弁座
６８          第２パイロット流路
６８ａ        第２弁座
７０          第１弁体
７２          電磁弁機構
７３          取付部
７４          第２弁体
７６          フロート
７８          揺動部材
８０          第１蓋状部材
８２          第２蓋状部材
８４          取付構造
８６          シール部材
８８          つば部
８８ａ        領域
８８ｂ        領域
９０          開口部
９０ａ        下流端
９４          水受け部
Ａ１          貯水領域
Ｂ１          収容空間
Ｆ１          矢印
Ｗ0           貯留面
ＷＬ１        満水水位
【図１】
2019167788.tif 000003
【図２】
2019167788.tif 000004
【図３】
2019167788.tif 000005
【図４】
2019167788.tif 000006
【図５】
2019167788.tif 000007
【図６】
2019167788.tif 000008
【図７】
2019167788.tif 000009
【図８】
2019167788.tif 000010
【図９】
2019167788.tif 000011
【図１０】
2019167788.tif 000012
【図１１】
2019167788.tif 000013